(57)【要約】【課題】ピンの軸部先端に不測の外力が加わった場合でも、パネル材の取付孔から抜け外れる心配のない締結具の提供。【解決手段】グロメット１とピン２の２部品から成り、グロメット１は、フランジ部３と拡開可能な脚部４を備え、フランジ部３の中央から脚部４の内部にかけて挿入孔７を形成すると共に、拡開可能な脚部４の内面に係合爪９を形成し、ピン２は、頭部５と上記挿入孔７に挿入される軸部６を備え、軸部６に上記係合爪９を個々に係合する係合面１４とロック面１５を形成することにより、パネル材Ｐ１・Ｐ２の締結固定状態おいて、ピン２の軸部６先端に不測の外力が加わると、係合爪９がピン２のロック面１５に係合して、締結具自体がパネル材Ｐ１・Ｐ２の取付孔Ｈ１・Ｈ２から外れてしまったり、或いは、外れないまでも、ピン２が仮止め状態に戻ったりすることを有効に防止できる。【選択図】          図６
2004263811.tif 000002
【特許請求の範囲】
【請求項１】
グロメットとピンの２部品から成り、グロメットは、フランジ部と拡開可能な脚部を備え、フランジ部の中央から脚部の内部にかけて挿入孔を形成すると共に、拡開可能な脚部の内面に係合爪を形成し、ピンは、頭部と上記挿入孔に挿入される軸部を備え、軸部に上記係合爪を個々に係合する係合面とロック面を形成したことを特徴とする締結具。
【請求項２】
グロメットの脚部に形成された係合爪がピンの軸部に形成された係合面に係合している状態では、ピンがグロメットの挿入孔内においてその抜け方向に対して移動可能であることを特徴とする請求項１記載の締結具。
【請求項３】
グロメットの脚部の拡開状態を維持したまま、グロメットの脚部に形成された係合爪がピンの軸部に形成されたロック面に移動しながら係合することを特徴とする請求項１乃至請求項２のいずれかに記載の締結具。
【請求項４】
グロメットの脚部に形成された係合爪がピンの軸部に形成された係合面に係合している状態では、ピンの軸部先端がグロメットの挿入孔内に没していることを特徴とする請求項１乃至請求項３のいずれかに記載の締結具。
【発明の詳細な説明】
【０００１】
【発明の属する技術分野】
本発明は、グロメットとピンの２部品から成り、少なくとも、２枚のパネル材を一方向からワンタッチで締結固定できる締結具の改良に関するものである。
【０００２】
【従来の技術】
従来のこの種締結具は、具体的には図示しないが、いずれも合成樹脂で一体成形されたグロメットとピンの２部品から成り、前者のグロメットは、フランジ部と脚部を備え、フランジ部の中央から脚部の内部にかけて後述するピンの軸部を挿入する挿入孔を形成する一方、脚部をスリットを介して拡開可能に分割して、該各分割脚片の内面に後述するピンの大径溝に係合する係合爪を形成し、後者のピンは、頭部と軸部を備え、軸部の略中間に上記係合爪を係合する大径溝を形成すると共に、軸部の先端側に上記係合爪を受け入れる小径溝を形成する構成となっている（例えば、特許文献１参照）。
【０００３】
そして、実際の使用に際しては、グロメットの挿入孔にピンの軸部を挿入して、各分割脚片の係合爪をピンの小径溝内に受け入れると、各分割脚片は拡開せずに、ピンのみがグロメット側に仮止めされるので、斯かる状態を得て、グロメットを２枚のパネル材に予め穿設されている取付孔に装着して、後は、仮止め状態にあるピンをグロメットの挿入孔内に完全に押し込むと、今度は、各分割脚片の係合爪が小径溝から外れて大径溝に係合して、各分割脚片が外方に拡開するので、これにより、２枚のパネル材同士が締結固定されることとなる。
【０００４】
【特許文献１】
特開平８−３３４１０９号公報
【０００５】
【発明が解決しようとする課題】
然し乍ら、従来の締結具の下で、２枚のパネル材の締結固定作業が終了した時点では、ピンの軸部先端がグロメットの各分割脚片の先端縁から外方に大きく突出する状態となるので、この突出した裏側で別の作業を行なう場合に、作業者が誤って突出するピンの軸部先端を押してしまったり、他の部品を取り付ける場合に、当該部品が突出するピンの軸部先端にぶつかったりすると、これに起因して、締結具自体がパネル材の取付孔から外れてしまったり、或いは、外れないまでも、ピンが仮止め状態に戻ったりするので、パネル材の締結固定作業のやり直しを行わなければならなくなったり、締結固定状態が解除されたことを気づかずにパネル材が次工程に搬送される恐れがあった。
【０００６】
【課題を解決するための手段】
本発明は、斯かる従来の締結具が抱える課題を有効に解決するために開発されたもので、請求項１記載の発明は、グロメットとピンの２部品から成り、グロメットは、フランジ部と拡開可能な脚部を備え、フランジ部の中央から脚部の内部にかけて挿入孔を形成すると共に、拡開可能な脚部の内面に係合爪を形成し、ピンは、頭部と上記挿入孔に挿入される軸部を備え、軸部に上記係合爪を個々に係合する係合面とロック面を形成する構成を採用した。
【０００７】
請求項２記載の発明は、請求項１を前提として、グロメットの脚部に形成された係合爪がピンの軸部に形成された係合面に係合している状態では、ピンがグロメットの挿入孔内においてその抜け方向に対して移動可能である構成を採用した。
【０００８】
請求項３記載の発明は、請求項１乃至請求項２を前提として、グロメットの脚部の拡開状態を維持したまま、グロメットの脚部に形成された係合爪がピンの軸部に形成されたロック面に移動しながら係合する構成を採用した。
【０００９】
請求項４記載の発明は、請求項１乃至請求項３を前提として、グロメットの脚部に形成された係合爪がピンの軸部に形成された係合面に係合している状態では、ピンの軸部先端がグロメットの挿入孔内に没している構成を採用した。
【００１０】
依って、請求項１記載の発明にあっては、グロメットの挿入孔にピンの軸部を挿入して、グロメットの脚部に形成されている係合爪をピンの軸部に形成されている係合面に係合させると、グロメットの脚部が外方へ拡開するので、これにより、パネル材同士が締結固定されることとなるが、斯かる状態において、ピンの軸部先端に不測の外力が加わり、ピンがその抜け方向に押された場合には、今度は、係合爪がピンの軸部に形成されているロック面に係合して、締結具自体がパネル材の取付孔から外れてしまったり、或いは、外れないまでも、ピンが仮止め状態に戻ったりすることを有効に防止できることとなるので、パネル材同士の確実な締結固定状態が得られる。
【００１１】
請求項２記載の発明にあっては、パネル材同士の締結固定状態、即ち、係合爪が係合面に係合している状態にあって、ピンの軸部先端に不測の外力が加わった場合には、ピンがグロメットの挿入孔内でその抜け方向に移動するので、これにより、不測の外力に伴う衝撃エネルギーを効果的に吸収することが可能となると共に、パネル材を締結固定した締結具を取り外す際には、取り外し治具の先端をピンの頭部とグロメットのフランジ部の間に小さな力で挿入できるので、頭部やフランジ部を傷つけることがなく、ピンからグロメットを引き抜けば、締結具自体を仮止め状態に戻すことができる。請求項３記載の発明にあっては、係合爪がロック面に係合している状態でも、グロメットの脚部は拡開状態に維持されるので、例え、不測の外力が加わったとしても、締結具自体がパネル材の取付孔から外れることがない。請求項４記載の発明にあっては、パネル材同士の締結固定状態、即ち、係合爪が係合面に係合している状態にあっては、ピンの軸部先端がグロメットの挿入孔内に没しているので、不測の外力が加わり難い。
【００１２】
【発明の実施の形態】
以下、本発明を図示する好適な実施の形態に基づいて詳述すれば、該実施の形態に係る締結具も、従来と同様に、図１に示す如く、いずれも合成樹脂で一体成形されたグロメット１とピン２の２部品から成り、前者のグロメット１は、大円盤状のフランジ部３と円筒状の脚部４を備え、後者のピン２は、小円盤状の頭部５と円柱状の軸部６を備える構成となっている。
【００１３】
これを具体的に説明すると、前者のグロメット１に関しては、図２にも示す如く、そのフランジ部３の中央から脚部４の内部にかけてピン２の軸部６を挿入する挿入孔７を形成する一方、脚部４を４本のスリット８を介して拡開可能に分割して、該各分割脚片４ａの膨出した先端側内面に後述するピン２の係合面１４とロック面１５とに係合する係合爪９を形成すると共に、フランジ部３の上面に半径方向に伸びる複数の工具差込溝１０を形成し、且つ、上記各スリット８のフランジ部３側孔縁に仮止め用の突起１１を個々に形成する構成となっている。
【００１４】
又、後者のピン２は、図３にも示す如く、その軸部６の外周面に上記各スリット８内に係入する４本のリブ壁１２を形成すると共に、一方で対向することとなる２本のリブ壁１２の途中に背面側が空所１３となっている湾曲状の弾性アーム部１２ａを連続して形成し、且つ、先端側の軸部６外周に軸部６の軸線方向と平行する係合面１４を形成すると共に、該係合面１４と続く先端側の外周に係合面１４と直交する方向に伸びるロック面１５をそれぞれ独立して形成する構成となっている。
【００１５】
そして、本実施の形態にあっては、これに加えて、グロメット１の挿入孔７にピン２の軸部６を挿入する場合に、グロメット１のフランジ部３にピン２の頭部５が当接するまで、ピン２の軸部６を挿入すると、上記した係合爪９が軸部６に形成されている係合面１４に係合するように設定すると共に、この状態では、ピン２の軸部６先端が挿入孔７内に没すように設定し、且つ、係合爪９が係合面１４に係合している状態では、ピン２がグロメット１の挿入孔７内においてその抜け方向に移動できるように設定してある。
【００１６】
依って、斯かる構成の締結具を用いて、今仮に、２枚のパネル材Ｐ１・Ｐ２同士を締結固定する場合には、スリット８とリブ壁１２の位置関係を一致させながら、まず、グロメット１の挿入孔７内にピン２の軸部６を挿入すると、図４に示す如く、各スリット８のフランジ部３側孔縁に形成された仮止め用の突起１１がピン２のリブ壁１２の弾性アーム部１２ａの付け根と突起１７の間に弾性的に係止するので、これにより、ピン２がグロメット１に確実に仮止めされることとなる。尚、この状態では、各分割脚片４ａは未だ拡開していない。
【００１７】
そこで、ピン２の仮止め状態を得た後は、２枚のパネル材Ｐ１・Ｐ２に予め穿設されている取付孔Ｈ１・Ｈ２にグロメット１の脚部４を装着して、グロメット１のフランジ部３にピン２の頭部５が当接するまで、ピン２の軸部６を挿入孔７内に完全に押し込むと、図５に示す如く、今度は、各分割脚片４ａの内面に形成されている係合爪９がピン２の係合面１４に係合すると同時に、各分割脚片４ａが外方に拡開するので、これにより、２枚のパネル材Ｐ１・Ｐ２が一方向からワンタッチで締結固定されることとなる。
【００１８】
尚、このパネル材Ｐ１・Ｐ２の締結固定状態にあっては、グロメット１のフランジ部３に対するピン２の頭部５の当接規制で、係合爪９は必ず係合面１４に係合することとなるので、この状態では、係合爪９がロック面１５に係合することはないが、ピン２の軸部６は、その抜け方向に移動可能なっているので、軸部６が抜け方向に移動すると、初めて、係合爪９がロック面１５と係合することとなる。又、パネル材Ｐ１・Ｐ２を締結固定した締結具を取り外す際には、上記したように軸部６が移動可能である関係で、取り外し治具の先端をピン２の頭部５とグロメット１のフランジ部３の間に小さな力で挿入できるので、取り外し治具を頭部５とフランジ部３の間に挿入するために、叩き込んだり、無理矢理抉ったりする必要がなくなり、頭部５やフランジ部３を傷つけることがなく、ピン２からグロメット１を引き抜けば、締結具自体を仮止め状態に戻すことができる。
【００１９】
その上、係合爪９が係合面１４に係合している状態では、ピン２の軸部６先端はグロメット１の挿入孔７内に没して、各分割脚片４ａの先端縁から外方に突出することがないので、別の作業中に、作業者が誤ってピン２の軸部６先端を押したり、他の部品の角部をピン２の軸部６先端にぶつけることが防止できるので、従来のように、パネル材Ｐ１・Ｐ２の締結固定作業のやり直しを行わなければならなくなったり、締結固定状態が解除されたことを気づかずに次工程に搬送される恐れがなくなる。しかも、本実施の形態の下では、他の物品の角部が約１６０°以上の場合には、角部は拡開する各分割脚片４ａの先端縁に当接するだけで、挿入孔７内に没するピン２の軸部６先端には当接することがない。
【００２０】
又、仮に、何かの弾みで、ピン２の軸部６先端が押されて、ピン２が挿入孔７内でその抜け方向に移動すると、今度は、グロメット１の各分割脚片４ａの拡開を維持したまま、図６に示す如く、各分割脚片４ａの係合爪９がロック面１５に係合して、不測の外力に伴う衝撃エネルギーを効果的に吸収しながら、ピン２の抜け外れを確実に防止するので、締結具自体がパネル材Ｐ１・Ｐ２の取付孔Ｈ１・Ｈ２から外れたり、外れないまでも、ピン２が仮止め状態に戻ったりする心配が全くなくなる。
【００２１】
又、この場合には、係合爪９は、脚部４の弾性力によって係合面１４に付勢されているため、ピン２の移動に対する摩擦力となり、移動を妨げる抵抗力となる。この為、不測の外力がピン２の先端に作用した際、外力による衝撃エネルギーがピン２の運動エネルギーに変換され、外力はこの抵抗力に抗してピン２を移動させることとなる。従って、本実施の形態にあっては、ピン２が移動することによって、この運動エネルギーが消費されて、外力自体を減衰させることができる。
【００２２】
更に、係合爪９と係合面１４は係合状態を維持したまま移動可能であるので、ピン２の移動速度が減衰してから、係合爪９はロック面１５と当接することとなる。当接する際には、外力によって与えられたピン２の運動エネルギーは十分に減衰されて小さくなっており、その時の速度は十分に減速されている。従って、当接時の係合爪９とロック面１５の係合面積が小さくても、係合爪９がロック面１５を乗り越えることがない。
依って、係合爪９とロック面１５との係合面積を小さくできるので、締結具を取り外す工程で、ピン２の頭部５と工具差込溝１０との間に取り外し工具、例えば、マイナスドライバーを挿入して抉じれば、ピン２とグロメット１を仮止め状態に戻すことが、従来と同様に、容易に行うことができる。
【００２３】
尚、上記実施の形態にあっては、ピン２の軸部６の先端面を平面状となしたものであるが、例えば、図７に示す如く、ピン２の軸部６の先端面を円錐形状１６に刳り貫けば、締結状態にある締結具の裏側で、他の部品の取付作業をしても、他の部品の角部が軸部６の先端面に接触する確率よりも、分割脚片４ａの先端に接触する確率の方が高くなるので、一層不測の外力を受けにくくなる。又、本実施の形態に係る締結具は、２枚のパネル材Ｐ１・Ｐ２の締結固定状態を解除する場合には、グロメット１のフランジ部３に形成された工具差込溝１０を利用して、ピン２をグロメット１の挿入孔７から強制的に引き抜くことができる構成となっているので、図７に示す如く、ピン２の軸部６の外周面に形成される係合面１４とロック面１５の間にテーパー面１８を積極的に付与すれば、ピン２の引き抜き作業が容易となる。
【００２４】
【発明の効果】
以上の如く、本発明は、上記構成の採用により、グロメットの挿入孔にピンの軸部を挿入して、グロメットの脚部に形成されている係合爪をピンの軸部に形成されている係合面に係合させると、グロメットの脚部が外方へ拡開するので、これにより、パネル材同士が締結固定されることとなるが、斯かる状態において、ピンの軸部先端に不測の外力が加わり、ピンがその抜け方向に押された場合には、今度は、係合爪がピンの軸部に形成されているロック面に係合して、締結具自体がパネル材の取付孔から外れてしまったり、或いは、外れないまでも、ピンが仮止め状態に戻ったりすることを有効に防止できることとなるので、パネル材同士の確実な締結固定状態が得られる。
【図面の簡単な説明】
【図１】本発明の実施の形態に係る締結具を分解して示す斜視図である。
【図２】（Ａ）は図１のＡ−Ａ断面図、（Ｂ）は図１のＢ−Ｂ断面図である。
【図３】（Ａ）は図１のＣ−Ｃ断面図、（Ｂ）は図１のＤ−Ｄ断面図、（Ｃ）は図１のＥ−Ｅ断面図ある。
【図４】グロメットとピンの仮止め状態を示す断面図である。
【図５】２枚のパネル材が締結固定された状態を示す断面図である。
【図６】ピンがその抜け方向に移動して、グロメット側の係合爪がピン側のロック面に係合した状態を示す断面図である。
【図７】ピンの軸部の先端面の他例を示す断面図である。
【符号の説明】
１      グロメット
２      ピン
３      フランジ部
４      脚部
４ａ    分割脚片
５      頭部
６      軸部
７      挿入孔
８      スリット
９      係合爪
１０    工具差込溝
１１    仮止め用の突起
１２    リブ壁
１２ａ  弾性アーム部
１３    空所
１４    係合面
１５    ロック面
１６    円錐形状
１７    突起
１８    テーパー面
Ｐ１    パネル材
Ｐ２    パネル材
Ｈ１    取付孔
Ｈ２    取付孔
【図１】
2004263811.tif 000003
【図２】
2004263811.tif 000004
【図３】
2004263811.tif 000005
【図４】
2004263811.tif 000006
【図５】
2004263811.tif 000007
【図６】
2004263811.tif 000008
【図７】
2004263811.tif 000009